(57)【要約】【課題】外出時に音楽を楽しむことができ、しかも居住者にとって携帯品が少なくて済む電子キーを提供する。【解決手段】電子キー４０は、住宅のドアを施解錠する玄関ドア施解錠装置３０や車両のドアを施解錠する車両ドア施解錠装置５０にそれぞれ施解錠を行わせるべく、玄関ドア施解錠許可部４３や車両ドア施解錠許可部４４を備えている。この電子キー４０が携帯型音楽再生器として機能するように、音楽データを記憶する音楽データ記憶部４６と、その音楽データ記憶部４６に記憶されている音楽データに基づき音楽を再生する再生部４７とを設けた。さらに、音楽データを住宅内の端末２０から車両内の車載装置５０へ転送することができるように、電子キー４０内に音楽データ転送・書込要求部４５を設けた。これにより、電子キー４０以外に、携帯型音楽再生器や携帯型メモリを携行する必要がなくなって、携帯品が少なくなる。【選択図】      図２
2008121310.tif 000002
【特許請求の範囲】
【請求項１】
住宅のドア又は車両のドアの施解錠を行う施解錠手段に、施解錠を行わせるべく予め定めた信号を送信する信号送信部と、
音楽データを記憶する音楽データ記憶部と、
前記音楽データ記憶部に記憶されている音楽データに基づき、音楽を再生する再生部と
を備えたことを特徴とする電子キー。
【請求項２】
住宅のドア及び車両のドアの施解錠を行う各施解錠手段に、施解錠を行わせるべく予め定めた信号を送信する信号送信部と、
音楽データを記憶する音楽データ記憶部と、
前記音楽データ記憶部に記憶されている音楽データに基づき、音楽を再生する再生部と
を備えたことを特徴とする電子キー。
【請求項３】
電子キーを識別する識別情報を記憶する識別情報記憶部をさらに備え、
前記信号送信部は、識別情報記憶部に記憶された識別情報を送信するものであることを特徴とする請求項１又は２に記載の電子キー。
【請求項４】
前記音楽データを受信する音楽データ受信部をさらに備え、
前記音楽データ記憶部は、前記音楽データ受信部が外部から受信した音楽データを記憶するものであることを特徴とする請求項１乃至３のいずれかに記載の電子キー。
【請求項５】
前記音楽データ受信部は、住宅に備えられた端末又は車両に備えられた車載装置と通信可能に接続されることにより、該端末又は車載装置に記憶されている音楽データを受信するものであることを特徴とする請求項４記載の電子キー。
【請求項６】
前記音楽データを受信する音楽データ受信部をさらに備え、
前記音楽データ記憶部は、前記音楽データ受信部が外部から受信した音楽データを記憶するものであり、
前記音楽データ受信部は、住宅に備えられた端末又は車両に備えられた車載装置と通信可能に接続されることにより、該端末又は車載装置に記憶されている音楽データのうち、前記識別情報記憶部に記憶された識別情報と関連付けられた音楽データを受信するものであることを特徴とする請求項３に記載の電子キー。
【請求項７】
前記音楽データを送信する音楽データ送信部をさらに備え、
前記音楽データ記憶部に記憶されている音楽データは、前記音楽データ送信部から外部へ送信されることを特徴とする請求項１乃至６のいずれかに記載の電子キー。
【請求項８】
前記音楽データ送信部は、車両に備えられた車載装置又は住宅に備えられた端末と通信可能に接続されることにより、前記音楽データ記憶部に記憶されている音楽データを前記車載装置又は端末に転送するものであることを特徴とする請求項７記載の電子キー。
【請求項９】
前記音楽データ記憶部とともに、音楽データ以外のデータを記憶するデータ記憶部をさらに備えていることを特徴とする請求項１乃至８のいずれかに記載の電子キー。
【発明の詳細な説明】
【技術分野】
【０００１】
本発明は、使用者によって携帯されて、住宅や車両等のドアの施解錠に使用される電子キーに関する。
【背景技術】
【０００２】
近年、携帯型音楽再生器は高機能化、小型化、軽量化が進み、例えば特許文献１に開示されている音楽プレーヤーのように音質が高く携帯し易いものが提供されており、外出時にも気軽に音楽を楽しむことができるようになっている。
【特許文献１】特開２００５−２０３８５７号公報
【発明の開示】
【発明が解決しようとする課題】
【０００３】
携帯型音楽再生器は携帯に便利であるが、音楽を楽しむという目的のために外出時の携帯品が増加してしまう。具体的には、住宅のドアキーや車両のドアキー等に加え、携帯型音楽再生器を持ち歩く必要が生じる。このように携帯品が多くなってくると携帯性のメリットが失われ、携帯し忘れ、紛失のおそれ、携行バッグ・ポケットの中身の煩雑化といった新たな問題が生じ得る。
【０００４】
本発明は、このような事情に鑑みてなされたものであって、外出時に音楽を楽しむことができ、しかも携帯品が少なくて済む技術を提供することを主たる目的とする。
【課題を解決するための手段】
【０００５】
以下、上記課題を解決するのに有効な手段等につき、必要に応じて効果等を示しつつ説明する。なお以下においては、理解の容易のため、発明の実施の形態において対応する構成を括弧書き等で適宜示すが、この括弧書き等で示した具体的構成に限定されるものではない。
【０００６】
本発明の電子キー（電子キー４０）は、住宅のドア及び／又は車両のドアの施解錠を行う施解錠手段（玄関ドア施解錠装置３０、車両ドア施解錠装置５０）に、施解錠を行わせるべく予め定めた信号を送信する信号送信部（通信部４１、玄関ドア施解錠許可部４３、車両ドア施解錠許可部４４）と、音楽データを記憶する音楽データ記憶部（音楽データ記憶部４６）と、前記音楽データ記憶部に記憶されている音楽データに基づき、音楽を再生する再生部（再生部４７）とを備えたことを特徴とする。
【０００７】
居住者が外出する場合には住宅のドアは施錠されるのが通常であり、住宅のドアを施解錠するためのキーは居住者が携帯する。また、外出時に車両を交通手段とする場合には車両のドアを施解錠するためのキーは居住者が携帯する。かかるキーに音楽データを記憶させ、記憶された音楽データをもとに音楽を再生することができるようにしたことから、ドア用のキーと音楽再生用の携帯器とを別個に携帯する必要がなく、音楽再生手段の携帯し忘れ、紛失のおそれ、携行バッグ・ポケットの中身の煩雑化といった問題を解消し得る。さらに、本発明は電子キーであるから、もともと保有している電源機能その他のハード構成を音楽データの記憶及び再生において利用することも可能となり、携帯性を損なう可能性を低減し得る。
【０００８】
特に、電子キーが住宅のドア及び車両のドアのいずれも施解錠させることのできるものであれば、１の電子キーさえ携帯していれば住宅のドアの施解錠、車両のドアの施解錠、音楽再生のいずれをも１の電子キーで行うことができ、上記の効果が一層顕著なものとなる。さらには、ドアの施解錠のみならず、例えば車両のエンジンスタータ用の電子キーとしても兼用させる等、電子キーの所持者の日常生活に大きくかかわる領域において活用できるようにすることが好ましい。
【０００９】
ここで、上記電子キーは、電子キーを識別する識別情報を記憶する識別情報記憶部（キーＩＤ・暗証番号記憶部４２）をさらに備え、前記信号送信部は、識別情報記憶部に記憶された識別情報を送信するものであることが好ましい。これにより、電子キー毎に識別を行うことができ、ドアの施解錠をさせる際のセキュリティ性を担保し得るからである。
【００１０】
上記電子キーは、前記音楽データを受信する音楽データ受信部（通信部４１、音楽データ転送・書込要求部４５）をさらに備え、前記音楽データ記憶部は、前記音楽データ受信部が外部から受信した音楽データを記憶するものであることが好ましい。これにより、単なる再生用としてのみならず、外部から好みの音楽データを取り込むことができるからである。
【００１１】
この場合において、前記音楽データ受信部は、住宅に備えられた端末と通信可能に接続されることにより、該端末に記憶されている音楽データを受信するものであることが好ましい。住宅に備えられた端末において記録媒体として又はインターネット等から購入した音楽データを蓄積することが一般に行われており、この音楽データを電子キーに書込むことができるようになることで、いつでも蓄積した音楽を聴くことができるためである。
【００１２】
さらに好適な構成として、前記音楽データ受信部が、住宅に備えられた端末と通信可能に接続されることにより、該端末に記憶されている音楽データのうち、前記識別情報記憶部に記憶された識別情報と関連付けられた音楽データを受信するものであることが挙げられる。かかる構成であれば、識別情報記憶部に記憶された識別情報がドアの施解錠のために用いられるのみならず、端末に記憶されている各居住者の好みの音楽データを識別するのに用いられることになり、端末に記憶されている各種音楽から電子キー所持者の好みの音楽を簡単に取り込むことが可能となるからである。なお、この場合には、住宅内の端末においても、識別情報と関連付けて音楽データを蓄積しておくことが必要であるが、例えば、複数の住居者で共有される端末においてＩＤ等の識別情報に基づいてログインし、端末に記憶させた音楽データをそのログイン情報に基づいて対応付けておけばよい。
【００１３】
なお、以上のように住宅に備えられた端末からの音楽データの受信用として電子キーを使用することに代え、またはこれに加え、車両に備えられた車載装置からの音楽データの受信用として電子キーを使用することもできる。
【００１４】
上記電子キーは、前記音楽データを送信する音楽データ送信部（通信部４１、音楽データ転送・書込要求部４５）をさらに備え、前記音楽データ記憶部に記憶されている音楽データは、前記音楽データ送信部から外部へ送信されることが好ましい。これにより、電子キーが単なる再生用としてではなくあたかも携帯型音楽メモリとして機能することになり、電子キーの所持者が必要に応じて必要な機器に音楽データを転送することができるからである。
【００１５】
この場合において、前記音楽データ送信部は、車両に備えられた車載装置と通信可能に接続されることにより、前記音楽データ記憶部に記憶されている音楽データを前記車載装置に転送するものであることが好ましい。一般に、自らが記録媒体として保有する音楽データを記録媒体そのまま車両に持ち込んで音楽を聴いたり、住宅内の端末内に保有する音楽データをメモリ媒体に一旦ダウンロードしてから車両内の音響機器にアップロードして音楽を聴いたりする。このような場合に、電子キーを車両への音楽データ転送媒体として利用することができれば、別途、記録媒体を持ち歩いたりメモリ媒体を持ち歩いたりすることによる携帯品の増加を抑制することができる。
【００１６】
特に、有線・無線を問わず、住宅内の端末側に接続されると電子キーに音楽データが自動的に書込まれ、そのまま車両に電子キーを持ち込み車両側に接続されると電子キーから音楽データが自動的に転送されるようになっていると、電子キーを媒体とした音楽データの転送処理が至極簡単なものとなり、使用者の負荷低減効果が格段に向上する。さらに、電子キーの書込や転送の時間を短縮化する観点から、既に電子キーに記憶されている音楽データと、書込元又は転送先の音楽データとの差分のみが、新たに書込又は転送されるように構成することが最適である。
【００１７】
なお、以上のように車両に備えられた車載装置への音楽データの転送用として電子キーを使用することに代え、またはこれに加え、住宅に備えられた端末からの音楽データの受信用として電子キーを使用することもできる。
【００１８】
以上説明した電子キーにおいては、音楽データ記憶部とともに、音楽データ以外のデータを記憶するデータ記憶部をさらに備えていることが好ましい。
【００１９】
上記のように電子キーが音楽データを再生したり転送したりするなどの機能を有する他に、住宅と車両との間で共有するデータを持ち運ぶことができることとなる。その結果、個人情報を含むデータのやりとりのようなセキュリティ上の問題、または住宅と車庫とが離れている等の環境上の問題により、無線通信にて住宅と車両との間でデータを送受信することができないような場合にあっても、電子キーを媒介として、データのやりとりを行うことができるようになる。
【発明を実施するための最良の形態】
【００２０】
以下、図面を参照して、本発明を具現化した音楽再生機能付きセキュリティシステムの一実施形態について説明する。
【００２１】
図１は音楽再生機能付きセキュリティシステム１０の概略図である。図１に示すように、音楽再生機能付きセキュリティシステム１０は、住宅H内に設置された端末２０と、玄関ドア設置された玄関ドア施解錠装置３０と、玄関ドア及び車両ドアの施解錠に兼用される電子キー４０（図１では電子キー４０が使用される複数の場所にそれぞれ図示）と、車両Cに備えられた車載装置５０（図１では車両C外に図示）とを含んで構成されている。
【００２２】
端末２０は、住宅Hの複数の居住者によって共用されるパーソナルコンピュータであり、音楽再生機能付きセキュリティシステム１０の機能としては、音楽データの書込・転送・再生等の処理を行う。なお、端末２０はパーソナルコンピュータに限らず、携帯電話，ＰＤＡ等の他の情報処理装置であってもよい。電子キー４０は、無線通信によって玄関ドア及び車両ドアの施解錠を行うものであり、本実施形態では、住宅Hの複数の居住者がそれぞれ１つの電子キー４０を所有している（以下、居住者ａが所有する電子キーを４０ａ、居住者ｂが所有する電子キーを４０ｂ、居住者ｃが所有する電子キーを４０ｃと表す）。車載装置５０は、車両に設置された各種装置の制御等を行うものであり、音楽再生機能付きセキュリティシステム１０の機能としては、音楽データの書込・転送・再生等の処理を行う。
【００２３】
端末２０と車載装置５０はインターネット１００に接続されており、インターネット１００によって提供される各種データを取得することができる。
【００２４】
次に、図２の概略ブロック構成図を参照して、端末２０、玄関ドア施解錠装置３０、電子キー４０、車載装置５０の構成を詳述する。
【００２５】
＜端末２０の構成＞
端末２０は、音楽再生機能付きセキュリティシステム１０の構成として、通信部２１と、キーＩＤ記憶部２２と、音楽データ転送・書込許可判定部２３と、音楽データ記憶部２４と、再生部２５と、操作部２６とを備えている。
【００２６】
通信部２１は、各種通信回線に接続可能な機能を有している。この通信部２１によって、電子キー４０ａ，４０ｂ，４０ｃと無線通信を行うことができ、またインターネット１００とも接続可能となっている。なお、通信回線は、有線又は無線のいずれも利用可能で、有線であれば例えば電力線通信，有線ＬＡＮ通信等、無線であれば例えば赤外線，Ｂｌｕｅｔｏｏｔｈ（登録商標），無線ＬＡＮ等の各種方式を利用することができる。また、端末２０に電子キー差込口を設けておいて、そこに電子キー４０ａ，４０ｂ，４０ｃを差込むことにより、通信部２１による信号の送受信を行ってもよい。
【００２７】
キーＩＤ記憶部２２は、住宅Hの複数の居住者ａ，ｂ，ｃが個々に有する電子キー４０ａ，４０ｂ，４０ｃのＩＤを全て記憶している。
【００２８】
音楽データ転送・書込許可判定部２３は、電子キー４０ａ，４０ｂ，４０ｃから送信されたキーＩＤが通信部２１により受信されると、キーＩＤ記憶部２２に記憶されたキーＩＤを検索して一致判定を行い、音楽データ記憶部２４に記憶された音楽データを電子キー４０ａ，４０ｂ，４０ｃへ転送し、あるいは、電子キー４０ａ，４０ｂ，４０ｃから音楽データ記憶部２４へ音楽データを書込む。
【００２９】
音楽データ記憶部２４は、音楽データの他に、例えば図３に示すように、キーＩＤ（電子キー４０ａのキーＩＤ「１０００」、電子キー４０ｂのキーＩＤ「０１００」、電子キー４０ｃのキーＩＤ「０１０１」）に対応付けて、音楽データの書込日，転送日，書込や転送した曲名等を記憶している。これにより、記憶された音楽データを居住者単位で管理することが容易となる。また、曲が複数の居住者でシェアされる場合は、当該曲は最初に書込を行った居住者のキーＩＤに対応付けて記憶されており、その曲にはシェアされる他の居住者のキーＩＤが付加的に記憶されている。なお、音楽データ記憶部２４に書込される音楽データは、電子キー４０ａ，４０ｂ，４０ｃから転送されるものでなくてもよい。例えば、操作部２６（キーボード，テンキー等）からの操作により、記録媒体から転送される音楽データや、インターネット１００を介して取得される音楽データでもよい。また、音楽データ記憶部２４からは、電子キー４０ａ，４０ｂ，４０ｃ以外の音楽再生可能な機器に音楽データを転送することもできる。
【００３０】
再生部２５は、操作部２６からの操作により、音楽データ記憶部２４に記憶されている音楽データを再生するものであり、図示しないスピーカから音声を発生させる。
【００３１】
＜玄関ドア施解錠装置３０＞
玄関ドア施解錠装置３０は、通信部３１と、キーＩＤ・暗証番号記憶部３２と、玄関ドア施解錠要求部３３と、玄関ドア施解錠許可判定部３４と、玄関ドア施解錠制御部３５と、玄関ドア施解錠機構３６とを備えている。
【００３２】
通信部３１は、無線通信機能を有しており、玄関ドア施解錠要求部３３は、通信部３１を介して常時施解錠要求信号を発信している。電子キー４０ａ，４０ｂ，４０ｃは玄関ドアから所定距離内に配置されると施解錠要求信号を受信することができ、その信号を受信した電子キー４０からはキーＩＤが返信される。キーＩＤ・暗証番号記憶部３２には、電子キー４０ａ，４０ｂ，４０ｃのＩＤと、各ＩＤに対応付けられた暗証番号（例えば、電子キー４０ａなら「１０００／１＊＊＊＊」、電子キー４０ｂなら「０１００／２＊＊＊＊」、電子キー４０ｃなら「０１０１／３＊＊＊＊」）が記憶されており、電子キー４０から送信されたキーＩＤが通信部３１で受信され、さらに暗証番号が受信されると、玄関ドア施解錠許可判定部３４は、キーＩＤ・暗証番号記憶部３２に記憶されたキーＩＤ及び暗証番号を検索する。そして、電子キー４０から受信したキーＩＤ及び暗証番号が、記憶されたキーＩＤ及び暗証番号と一致するか否かを判定する。一致すると判定した場合は、玄関ドア施解錠制御部３５が、玄関ドア施解錠機構３６（例えば、電動サムターン）を制御して、玄関ドアを解錠する。
【００３３】
＜電子キー４０＞
電子キー４０ａ，４０ｂ，４０ｃのいずれも同様の構成を備えており、以下では代表的に電子キー４０の構成として説明する。
【００３４】
電子キー４０は、通信部４１、キーＩＤ・暗証番号記憶部４２、玄関ドア施解錠許可部４３、車両ドア施解錠許可部４４、音楽データ転送・書込要求部４５、音楽データ記憶部４６、再生部４７、操作部４８を備えている。このうち、玄関ドア施解錠許可部４３、車両ドア施解錠許可部４４は、キー機能のために備えられ、音楽データ転送・書込要求部４５、音楽データ記憶部４６、再生部４７は、音楽再生機能のために備えられている。これら音楽データ転送・書込要求部４５、音楽データ記憶部４６、再生部４７は電子キー４０に対して後付け可能なオプション機能としてモジュール化されている。
【００３５】
通信部４１は、キー機能として、玄関ドア施解錠装置３０及び車載装置５０と無線によって通信可能である。キーＩＤ・暗証番号記憶部４２は、その電子キー４０のキーＩＤ及び暗証番号を記憶しており、電子キー４０が玄関ドアから所定距離に近づいて、玄関ドア施解錠装置３０から発信される施解錠要求信号を受信すると、玄関ドア施解錠許可部４３は、キーＩＤ・暗証番号記憶部４２に記憶されたキーＩＤを取得して、通信部４１を介して玄関ドア施解錠装置３０へ送信する。さらに操作部４８から暗証番号が入力されて玄関ドア施解錠装置３０へ送信されると、玄関ドア施解錠装置３０ではキーＩＤ及び暗証番号の一致判定が行われ、玄関ドアが解錠される。一方、電子キー４０が車両Ｃから所定距離に近づいて、車載装置５０から発信される施解錠要求信号を受信すると、車両ドア施解錠許可部４４は、キーＩＤ・暗証番号記憶部４２に記憶されたキーＩＤを取得して、通信部４１を介して車載装置５０へ送信する。さらに暗証番号が入力されて車載装置５０へ送信されると、車載装置５０ではキーＩＤ及び暗証番号の一致判定が行われ、車両ドアが解錠される。
【００３６】
一方、音楽再生機能として、通信部４１は、端末２０及び車載装置５０と無線によって通信可能である。端末２０との間では、操作部４８（テンキー等）において「音楽データ転送」又は「音楽データ書込」のいずれかの処理が選択されることにより、音楽データ転送・書込要求部４５が、通信部４１を介して、キーＩＤを含む転送要求信号又は書込要求信号を送信する。なお、端末２０に電子キー差込口が設けられている場合は、そこに差込まれると自動的に転送要求信号又は書込要求信号を送信するように構成してもよい。端末２０で転送要求信号又は書込要求信号が受信され、キーＩＤの一致判定がなされると、端末２０へ音楽データの転送が自動的に行われ、あるいは端末２０から音楽データの書込が自動的に行われる。
【００３７】
また、車載装置５０との間でも、操作部４８において「音楽データ転送」又は「音楽データ書込」のいずれかの処理が選択されることにより、音楽データ転送・書込要求部４５が、通信部４１を介して、キーＩＤを含む転送要求信号又は書込要求信号を送信する。なお、車載装置５０に電子キー差込口が設けられている場合は、そこに差込まれると自動的に転送要求信号又は書込要求信号を送信するように構成してもよい。車載装置５０で転送要求信号又は書込要求信号が受信され、キーＩＤの一致判定がなされると、車載装置５０へ音楽データの転送が自動的に行われ、あるいは車載装置５０から音楽データの書込が自動的に行われる。音楽データ記憶部４６に書込まれた音楽データは、操作部４８からの操作に従って、再生部４７により、図示しないスピーカから音声として発生される。
【００３８】
＜車載装置５０＞
車載装置５０は、通信部５１と、キーＩＤ・暗証番号記憶部５２と、車両ドア施解錠要求部５３と、車両ドア施解錠許可判定部５４と、車両ドア施解錠制御部５５と、車両ドア施解錠機構５６と、音楽データ転送・書込許可判定部５７と、音楽データ記憶部５８と、再生部５９と、操作部６０とを備えている。このうち、車両ドア施解錠要求部５３と、車両ドア施解錠許可判定部５４と、車両ドア施解錠制御部５５と、車両ドア施解錠機構５６は、車両ドア施解錠機能のために備えられ、音楽データ転送・書込許可判定部５７と、音楽データ記憶部５８と、再生部５９は、音楽再生機能のために備えられている。
【００３９】
通信部５１は、車両内外の機器と通信可能な機能を有しており、電子キー４０ａ，４０ｂ，４０ｃと通信可能な他、インターネット１００にも接続可能である。
【００４０】
キーＩＤ・暗証番号記憶部５２は、電子キー４０ａ，４０ｂ，４０ｃの各キーＩＤ及び暗証番号を記憶している。
【００４１】
車両ドア施解錠要求部５３は、車両Ｃが利用されていない間、通信部５１を介して施解錠要求信号を発信している。例えば電子キー４０ａが車両Ｃから所定範囲内に近づけられると、施解錠要求信号が受信されて電子キー４０ａからキーＩＤが送信される。通信部５１がそのキーＩＤを受信し、さらに暗証番号を受信すると、車両ドア施解錠許可判定部５４が、キーＩＤ・暗証番号記憶部５２に記憶されているキーＩＤ及び暗証番号を検索し、受信したキーＩＤ及び暗証番号が、記憶されたキーＩＤ及び暗証番号と一致するか否かを判定する。
【００４２】
車両ドア施解錠制御部５５は、車両ドアに設けられた車両ドア施解錠機構５６を制御するものであり、車両ドア施解錠許可判定部５４が一致判定をした場合には、車両ドア施解錠機構５６を制御して車両ドアを解錠させる。
【００４３】
一方、音楽再生機能として、例えば電子キー４０ａからキーＩＤを含む転送要求信号又は書込要求信号が送信されると、通信部５１がそれを受信する。また、電子キー差込口を設けておいて、そこに電子キー４０ａ等を差込むことにより、信号の送受信を行ってもよい。前記転送要求信号又は書込要求信号が受信されると、音楽データ転送・書込許可判定部５７が、キーＩＤ・暗証番号記憶部５２に記憶されているキーＩＤを検索し、受信したキーＩＤが一致するか否かを判定する。一致判定がなされると、音楽データ転送・書込許可判定部５７は、音楽データ記憶部５８に記憶さている音楽データの転送又は音楽データ記憶部５８への新規データの書込を行う。この音楽データ記憶部５８は、端末２０の音楽データ記憶部２４と同様のデータ構造を有することができる（図３を参照）。音楽データ記憶部５８に書込まれた音楽データは、操作部６０からの操作に従って、再生部５９により、図示しないスピーカから音声として発生される。
【００４４】
次に、音楽再生機能付きセキュリティシステム１０が実行する処理について説明する。音楽再生機能付きセキュリティシステム１０は、主として、玄関ドアの施解錠処理、車両ドアの施解錠処理、音楽データ書込処理及び音楽データ転送処理を行う。以下、それぞれの処理について図４〜図６のフローチャートを参照して説明する。
【００４５】
＜玄関ドアの施解錠処理＞
図４は、玄関ドア施解錠装置３０において行われる施解錠処理を説明するフローチャートである。以下では、電子キー４０ａを所有する居住者によって玄関ドアが解錠される例を挙げて説明する。
【００４６】
まず、施解錠処理の前段階、すなわち玄関ドアが施錠されている状態では、玄関ドア施解錠装置３０の玄関ドア施解錠要求部３３が施解錠要求信号を発信している。それを電子キー４０ａが受信すると、電子キー４０ａからキーＩＤが送信される。
【００４７】
そして、施解錠処理では、まずステップＳ１０１で、通信部３１が、そのキーＩＤの受信を待機する状態となっている（ステップＳ１０１）。キーＩＤが受信されると（ステップＳ１０１でＹＥＳ）、玄関ドア施解錠許可判定部３４が、通信部３１を介して暗証番号入力要求信号を電子キー４０ａに送信し（ステップＳ１０２）、暗証番号の受信を待機する状態となる（ステップＳ１０３）。暗証番号が受信されると（ステップＳ１０３でＹＥＳ）、玄関ドア施解錠許可判定部３４が、キーＩＤ・暗証番号記憶部４２に記憶されたキーＩＤ及び暗証番号を検索し（ステップＳ１０４）、該当するキーＩＤ及び暗証番号の組合せが存在するか否か（一致するか否か）を確認する（ステップＳ１０５）。存在する（一致する）ことが確認された場合は（ステップＳ１０５でＹＥＳ）、玄関ドア施解錠制御部３５が玄関ドア施解錠機構３６を制御して玄関ドアを解錠させる（ステップＳ１０６）。一方、存在しない（一致しない）ことが確認された場合は（ステップＳ１０５でＮＯ）、ステップＳ１０９に移行し、玄関ドアを解錠することなく玄関ドア施解錠機構３６にアラーム音を発生させる。
【００４８】
ステップＳ１０６で玄関ドアの解錠がなされた場合、電子キー４０ａが玄関ドアから所定距離を越えたところまで離れると、通信部３１では電子キー４０ａから発信されるキーＩＤの受信が不能となる。そして、受信不能となった時点で、玄関ドア施解錠制御部３５が玄関ドア施解錠機構３６を施錠させる（ステップＳ１０８）。
【００４９】
＜車両ドアの施解錠処理＞
車載装置５０において行われる施解錠処理は、上記玄関ドアの施解錠処理と概ね同様であるため、以下では概略的に説明する。
【００５０】
車載装置５０においても、車両が使用されていない間は、車両ドア施解錠要求部５３が施解錠要求信号を発信しており、それを電子キー４０ａが受信すると、電子キー４０ａからキーＩＤが送信される。
【００５１】
そして、通信部５１がそのキーＩＤが受信すると、車両ドア施解錠許可判定部５４が、暗証番号入力要求信号を電子キー４０ａに送信する。通信部５１が、電子キー４０ａから送信された暗証番号を受信すると、車両ドア施解錠許可判定部５４が、キーＩＤ・暗証番号記憶部５２に記憶されたキーＩＤ及び暗証番号を検索し、該当するキーＩＤ及び暗証番号の組合せが存在するか否か（一致するか否か）を確認する。存在する（一致する）ことが確認された場合は、車両ドア施解錠制御部５５が車両ドア施解錠機構５６を制御して車両ドアを解錠させる。一方、存在しない（一致しない）ことが確認された場合は、車両ドアを解錠することなく車両ドア施解錠機構５６にアラーム音を発生させる。
【００５２】
車両ドアが解錠されてから所定時間経過すると、車両ドア施解錠制御部５５が、車両ドアの施錠がなされたか否かを確認し、未施錠の場合は車両ドア施解錠機構５６を制御して車両ドアを施錠させる。
【００５３】
以上の玄関ドア施解錠処理及び車両ドア施解錠処理においては、電子キー４０ａのキー機能が利用されたが、以下の音楽データ書込処理及び音楽データ転送処理においては、電子キー４０ａの音楽再生機能が利用される。
【００５４】
＜音楽データ書込処理＞
図５は、電子キー４０へ音楽データを書込む際に端末２０が行う処理を説明するフローチャートである。以下においては、電子キー４０ａへ音楽データを書込む例によって説明する。
【００５５】
電子キー４０ａにおいて、「音楽データ書込」の処理が選択されてキーＩＤを含む書込要求信号が送信され、端末２０の通信部２１がそれを受信すると（ステップＳ２０１でＹＥＳ）、音楽データ転送・書込許可判定部２３がキーＩＤ記憶部２２に記憶されているキーＩＤを検索し（ステップＳ２０２）、該当するキーＩＤが存在するか否か（一致するか否か）を確認する（ステップＳ２０３）。存在する（一致する）ことが確認された場合は（ステップＳ２０３でＹＥＳ）、音楽データ転送・書込許可判定部２３が、音楽データ記憶部２４に記憶された音楽データのうちそのキーＩＤに対応するものを検索し、該当する音楽データが存在するか否かを確認する（ステップＳ２０４）。存在することが確認された場合は（ステップＳ２０４でＹＥＳ）、ステップＳ２０５に移行して、音楽データ転送・書込許可判定部２３が該当する音楽データを電子キー４０ａに転送する。一方、該当するキーＩＤが存在しない（一致しない）ことが確認された場合や（ステップＳ２３０でＮＯ）、該当する音楽データが存在しないことが確認された場合は（ステップＳ２０４でＮＯ）、ステップＳ２０７に移行し、音楽データの転送をすることなく再生部２５にアラーム音を発生させる。
【００５６】
ステップＳ２０５において音楽データの転送がなされた場合、ステップＳ２０６では、音楽データ記憶部２４に記憶されているデータ（図３を参照）のうち、例えば最新転送日等のデータが更新される。
【００５７】
なお、以上の音楽データ書込処理は、車載装置５０から電子キー４０へ音楽データを書込む際にも同様に行われる。すなわち、上記処理における端末２０の通信部２１、キーＩＤ記憶部２２、音楽データ転送・書込許可判定部２３、音楽データ記憶部２４、再生部２５を、それぞれ車載装置５０の通信部５１、キーＩＤ・暗証番号記憶部５２、音楽データ転送・書込許可判定部５７、音楽データ記憶部５８、再生部５９に置き換えることで、車載装置５０が電子キー４０へ音楽データを書込む処理を説明できる。
【００５８】
＜音楽データ転送処理＞
図６は、電子キー４０から音楽データが転送される際に車載装置５０が行う処理を説明するフローチャートである。以下では、電子キー４０ａから音楽データが転送される例によって説明する。
【００５９】
電子キー４０ａにおいて、「音楽データ転送」の処理が選択されてキーＩＤを含む転送要求信号が送信され、車載装置５０の通信部５１がそれを受信すると（ステップＳ３０１でＹＥＳ）、音楽データ転送・書込許可判定部５７が、キーＩＤ・暗証番号記憶部５２に記憶されているキーＩＤを検索し（ステップＳ３０２）、該当するキーＩＤが存在するか否か（一致するか否か）を確認する（ステップＳ３０３）。存在する（一致する）ことが確認された場合は（ステップＳ３０３でＹＥＳ）、ステップＳ３０４に移行して、音楽データ転送・書込許可判定部５７が該当する音楽データを電子キー４０ａから書込む。一方、該当するキーＩＤが存在しない（一致しない）ことが確認された場合は（ステップＳ３０３でＮＯ）、ステップＳ３０６に移行し、音楽データの書込をすることなく再生部５９にアラーム音を発生させる。
【００６０】
ステップＳ３０４において音楽データの書込がなされた場合、ステップＳ３０５では、音楽データ記憶部５８に記憶されているデータ（図３を参照）が更新される。
【００６１】
なお、以上の音楽データ転送処理は、電子キー４０から端末２０へ音楽データを転送する際にも同様に行われる。すなわち、上記処理における車載装置５０の通信部５１、キーＩＤ・暗証番号記憶部５２、音楽データ転送・書込許可判定部５７、音楽データ記憶部５８、再生部５９を、それぞれ端末２０の通信部２１、キーＩＤ記憶部２２、音楽データ転送・書込許可判定部２３、音楽データ記憶部２４、再生部２５に置き換えることで、電子キー４０から端末２０へ音楽データを転送する処理を説明できる。
【００６２】
以上説明した実施形態によれば、以下に示す効果が得られる。
【００６３】
すなわち、居住者が外出する場合には住宅のドアは施錠されるのが通常であり、住宅のドアを施解錠するための電子キー４０は居住者が携帯する。また、外出時に車両を交通手段とする場合には車両のドアを施解錠するための電子キー４０は居住者が携帯する。かかる電子キー４０に音楽データを記憶させ、記憶された音楽データをもとに音楽を再生することができるようにしたことから、ドア用のキーと音楽再生用の携帯器とを別個に携帯する必要がなく、音楽再生器の携帯し忘れ、紛失のおそれ、携行バッグ・ポケットの中身の煩雑化といった問題を解消し得る。
【００６４】
また、電子キー４０に音楽再生機能をもたせたものであるから、もともと保有している電源機能その他のハード構成を音楽データの記憶及び再生において利用することも可能となり、コンパクト化を促進でき、携帯性を損なう可能性を低減し得る。
【００６５】
特に、本実施形態では、電子キー４０が住宅のドア及び車両のドアのいずれも施解錠させることのできるものであるから、１の電子キー４０さえ携帯していれば住宅のドアの施解錠、車両のドアの施解錠、音楽再生のいずれをも行うことができ、上記の効果が一層顕著なものとなる。
【００６６】
また、電子キー４０を識別するＩＤをキーＩＤ・暗証番号記憶部４２に記憶させており、このＩＤ（さらには暗証番号）がドアの施解錠をさせる際のセキュリティ性を担保し得る。そればかりか、このＩＤを住宅内の端末２０に記憶されている音楽データと対応付けておくことで、端末２０内に複数の居住者の保有する音楽データが混在していたとしても居住者毎の保有音楽データを判別することができ、端末２０から電子キー４０への音楽データの書込が容易になる。
【００６７】
さらに、電子キー４０に記憶されている音楽データを車載装置５０に転送することができるため、電子キー４０を車両への音楽データ転送媒体として利用することができ、別途、記録媒体を持ち歩いたりメモリ媒体を持ち歩いたりすることによる携帯品の増加を抑制することができる。
【００６８】
なお、上述した実施形態の記載内容に限定されず、例えば次のように実施してもよい。
【００６９】
・上記実施形態では、電子キー４０を住宅のドアと車両のドアとの両方の施解錠を行うために用いたが、いずれか一方のみに用いられるものであってもよく、逆に車両のエンジン始動用等、他の用途にも使用できるものであってもよい。いずれにしても、電源などの電子機能部分は各用途で兼用することが好ましく、ＩＤ等の識別情報も兼用されることが一層好ましい。
【００７０】
・上記音楽データ書込処理は、次のように実施することもできる。すなわち、電子キー４０で「音楽データ書込」の処理を選択する際に、書込むべき音楽データを指定し、その情報を書込要求信号に含ませてもよい。これにより、電子キー４０ａに既に記憶されている音楽データと重複するものが書込まれる無駄を省くことができる。
【００７１】
・上記音楽データ転送処理は、次のように実施することもできる。すなわち、電子キー４０で「音楽データ転送」の処理を選択する際に、転送すべき音楽データを指定し、その情報を転送要求信号に含ませてもよい。これにより、車載装置５０に既に記憶されている音楽データと重複するものが書込まれる無駄を省くことができる。
【００７２】
・上記音楽データ書込処理において、既に電子キー４０に記憶されている音楽データと端末２０から書込を行おうとしている音楽データとの差分のみを、電子キー４０に書込むようにしてもよい。同様に、既に車載装置５０に記憶されている音楽データと電子キー４０から車載装置５０へ転送を行おうとしている音楽データとの差分のみを、電子キー４０から車載装置５０へ転送するようにしてもよい。これらにより、書込や転送のための処理時間を短縮することができる。
【００７３】
・上記実施形態においては、電子キー４０により音楽データを書込又は転送する際に「音楽データ書込」又は「音楽データ転送」の処理を選択する必要があったが、次のように実施することもできる。すなわち、例えば端末２０との間では「音楽データ書込」の処理のみ、車載装置５０との間では「音楽データ転送」の処理のみを行うようにしてもよい。そして、端末２０又は車載装置５０に設けられた電子キー差込口に差込まれるだけで、書込要求信号又は転送要求信号を送信するようにすれば、自動的に音楽データの書込又は転送を行うことができる。このように端末２０から車載装置５０への一方向の音楽データ転送機能を電子キー４０に保有させるものであれば、書込時や転送時の作業が簡易なものとなる。
【００７４】
・音楽データを再生したり転送したりするなどの機能を有する他に、住宅Hと車両Cとの間で共有するデータを持ち運ぶことができるように、電子キー４０にデータ記憶部を設けてもよい。このデータ記憶部は音楽データ記憶部４６とともに設けられ、音楽データ記憶部４６について以上詳述したデータ受信，データ記憶，データ転送の各機能と同様の機能が付与されていることが好ましい。このように構成すれば、個人情報を含むデータのやりとりのようなセキュリティ上の問題、または住宅Hと車庫とが離れている等の環境上の問題により、無線通信にて住宅Hと車両Cとの間でデータを送受信することができないような場合にあっても、電子キー４０を媒介として、データのやりとりを行うことができるようになる。なお、以上説明した音楽データとしては、警報用のメロディなどのメッセージ機能を有したものも含むものである。
【図面の簡単な説明】
【００７５】
【図１】本実施形態における音楽再生機能付きセキュリティシステムの概略図。
【図２】音楽再生機能付きセキュリティシステムの概略ブロック構成図。
【図３】音楽データの一例を示す図。
【図４】施解錠処理を説明するフローチャート。
【図５】音楽データ書込処理を説明するフローチャート。
【図６】音楽データ転送処理を説明するフローチャート。
【符号の説明】
【００７６】
１０…音楽再生機能付きセキュリティシステム、２０…端末、２１…通信部、２２…キーＩＤ記憶部、２３…音楽データ転送・書込許可判定部、２４…音楽データ記憶部、２５…再生部、２６…操作部、３０…玄関ドア施解錠装置、３１…通信部、３２…キーＩＤ・暗証番号記憶部、３３…玄関ドア施解錠要求部、３４…玄関ドア施解錠許可判定部、３５…玄関ドア施解錠制御部、３６…玄関ドア施解錠機構、４０…電子キー、４１…通信部、４２…キーＩＤ・暗証番号記憶部、４３…玄関ドア施解錠許可部、４４…車両ドア施解錠許可部、４５…音楽データ転送・書込要求部、４６…音楽データ記憶部、４７…再生部、４８…操作部、５０…車載装置、５１…通信部、５２…キーＩＤ・暗証番号記憶部、５３…車両ドア施解錠要求部、５４…車両ドア施解錠許可判定部、５５…車両ドア施解錠制御部、５６…車両ドア施解錠機構、５７…音楽データ転送・書込許可判定部、５８…音楽データ記憶部、５９…再生部、６０…操作部、１００…インターネット。
【図１】
2008121310.tif 000003
【図２】
2008121310.tif 000004
【図３】
2008121310.tif 000005
【図４】
2008121310.tif 000006
【図５】
2008121310.tif 000007
【図６】
2008121310.tif 000008